【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
トランスポート層の第１のプロトコルによりデータを送信する複数の第１の送信手段と、
前記第１の送信手段のポート番号、および、利用ポート数を含む、前記データを再生するための制御情報を生成する生成手段と、
前記生成手段により生成された前記制御情報をトランスポート層の第２のプロトコルで送信する第２の送信手段と、
セッション層のプロトコルにより送信するデータを前記複数の第１の送信手段のそれぞれの動作状態に応じて割振って送信するように制御する制御手段と
を備えることを特徴とする送信装置。
【請求項２】
前記制御手段は、セッション層のプロトコルにより送信するデータを前記複数の第１の送信手段のそれぞれの動作状態に応じて、ラウンドロビン方式により割振って送信するように制御する
ことを特徴とする請求項１に記載の送信装置。
【請求項３】
前記制御手段は、セッション層のプロトコルにより送信するデータを前記複数の第１の送信手段のそれぞれの動作状態に応じて、送信可能なものに割振って送信するように制御する
ことを特徴とする請求項１に記載の送信装置。
【請求項４】
前記セッション層のプロトコルにより送信するデータを複数のデータに分割する分割手段をさらに備え、
前記制御手段は、前記分割手段により分割された複数のデータを、それぞれ複数の第１の送信手段のそれぞれの動作状態に応じて割振ってトランスポート層の第１のプロトコルで送信するように制御する
ことを特徴とする請求項１に記載の送信装置。
【請求項５】
前記生成手段は、前記第１の送信手段のポート番号、および、利用ポート数を含む、前記分割手段により前記データが分割される際、分割されたデータを結合して再生させるための制御情報を生成する
ことを特徴とする請求項１に記載の送信装置。
【請求項６】
前記制御手段は、前記セッション層のプロトコルにより送信する同一のデータを、それぞれ複数の第１の送信手段によりトランスポート層の第１のプロトコルで送信するように制御する
ことを特徴とする請求項１に記載の送信装置。
【請求項７】
前記生成手段は、前記第１の送信手段のポート番号、および、利用ポート数を含む、前記セッション層のプロトコルにより送信するデータを識別して、前記データを再生するための制御情報を生成する
ことを特徴とする請求項６に記載の送信装置。
【請求項８】
前記第２のプロトコルはTCPである
ことを特徴とする請求項１に記載の送信装置。
【請求項９】
前記セッション層のプロトコルはRTPである
ことを特徴とする請求項１に記載の送信装置。
【請求項１０】
前記トランスポート層の第１のプロトコルは、送信したデータの着信確認をしないプロトコルである
ことを特徴とする請求項１に記載の送信装置。
【請求項１１】
前記送信したデータの着信確認をしない、前記トランスポート層の第１のプロトコルは、UDPである
ことを特徴とする請求項１０に記載の送信装置。
【請求項１２】
前記トランスポート層の第１のプロトコルは、TCPである
ことを特徴とする請求項１に記載の送信装置。
【請求項１３】
トランスポート層の第１のプロトコルによりデータを送信する複数の第１の送信ステップと、
前記第１の送信ステップの処理でのポート番号、および、利用ポート数を含む、前記データを再生するための制御情報を生成する生成ステップと、
前記生成ステップの処理で生成された前記制御情報をトランスポート層の第２のプロトコルで送信する第２の送信ステップと、
セッション層のプロトコルにより送信するデータを前記複数の第１の送信手段のそれぞれの動作状態に応じて送信するように制御する制御ステップと
を含むことを特徴とする送信方法。
【請求項１４】
トランスポート層の第１のプロトコルによりデータの送信を制御する複数の第１の送信制御ステップと、
前記第１の送信ステップの処理でのポート番号、および、利用ポート数を含む、前記データを再生するための制御情報の生成を制御する生成制御ステップと、
前記生成制御ステップの処理で生成された前記制御情報をトランスポート層の第２のプロトコルでの送信を制御する第２の送信制御ステップと、
セッション層のプロトコルにより送信するデータを前記複数の第１の送信制御ステップの処理のそれぞれの動作状態に応じて送信するように制御する動作制御ステップと
を含むことを特徴とするコンピュータが読み取り可能なプログラムが記録されている記録媒体。
【請求項１５】
トランスポート層の第１のプロトコルによりデータの送信を制御する複数の第１の送信制御ステップと、
前記第１の送信ステップの処理でのポート番号、および、利用ポート数を含む、前記データを再生するための制御情報の生成を制御する生成制御ステップと、
前記生成制御ステップの処理で生成された前記制御情報をトランスポート層の第２のプロトコルでの送信を制御する第２の送信制御ステップと、
セッション層のプロトコルにより送信するデータを前記複数の第１の送信制御ステップの処理のそれぞれの動作状態に応じて送信するように制御する動作制御ステップと
をコンピュータに実行させることを特徴とするプログラム。
【請求項１６】
トランスポート層の第１のプロトコルによりデータを受信する複数の第１の受信手段と、
前記第１の受信手段のポート番号、および、利用ポート数を含む、前記データを再生するための制御情報をトランスポート層の第２のプロトコルで受信する第２の受信手段と、
セッション層のプロトコルによる受信データとして、前記データを前記制御情報に基づいて再生する再生手段と
を備えることを特徴とする受信装置。
【請求項１７】
送信装置と受信装置からなる通信システムにおいて、
前記送信装置は、
トランスポート層のプロトコルによりデータを送信する複数の送信手段と、
前記第１の送信手段のポート番号、および、利用ポート数を含む、前記データを再生するための制御情報を生成する生成手段と、
前記生成手段により生成された前記制御情報をトランスポート層の第２のプロトコルで送信する第２の送信手段と、
セッション層のプロトコルにより送信するデータを前記複数の第１の送信手段のそれぞれの動作状態に応じて割振って送信するように制御する制御手段と
を備え、
前記受信装置は、
前記トランスポート層のプロトコルによりデータを受信する受信手段と、
前記第１の受信手段のポート番号、および、利用ポート数を含む、前記データを再生するための制御情報をトランスポート層の第２のプロトコルで受信する第２の受信手段と、
セッション層のプロトコルによる受信データとして、前記データを前記制御情報に基づいて再生する再生手段と
を備える
ことを特徴とする通信システム。
【手続補正２】
【補正対象書類名】明細書
【補正対象項目名】発明の名称
【補正方法】変更
【補正の内容】
【発明の名称】送信装置および方法、受信装置、通信システム、記録媒体、並びにプログラム
【手続補正３】
【補正対象書類名】明細書
【補正対象項目名】０００１
【補正方法】変更
【補正の内容】
【０００１】
本発明は、送信装置および方法、受信装置、通信システム、記録媒体、並びにプログラムに関し、特に、データの通信におけるデータの遅延を抑制し、安定した通信を実現できるようにした送信装置および方法、受信装置、通信システム、記録媒体、並びにプログラムに関する。
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４３
【補正方法】変更
【補正の内容】
【００４３】
本発明の受信装置においては、トランスポート層の第１のプロトコルによりデータが複数の通信経路で受信され、ポート番号、および、利用ポート数を含む、データを再生するための制御情報がトランスポート層の第２のプロトコルで受信され、セッション層のプロトコルによる受信データとして、データが制御情報に基づいて再生される。
【手続補正１５】
【補正対象書類名】明細書
【補正対象項目名】００５３
【補正方法】削除
【補正の内容】
【手続補正１６】
【補正対象書類名】明細書
【補正対象項目名】００５４
【補正方法】変更
【補正の内容】
【００５４】
尚、記録媒体、プログラム、および、通信システムの対応関係については、上述した送信装置および方法、並びに、受信装置と同様であるので、その説明は省略する。